(57)【要約】【課題】水シール部により水蒸気が洗浄水タンクの外部に漏洩することを抑制でき、従来のパッキン等によるシール部材を省略して洗浄水タンク装置を小型化及びローシルエット化することができる洗浄水タンク装置を提供する。【解決手段】本発明の洗浄水タンク装置２４は、底面と立壁５２とを備えた洗浄水タンク３４と、立壁の上部に取付けられ、洗浄水タンクの開口部を覆う蓋部３６とを備え、蓋部は、立壁の上部に取付けられた状態で、立壁の内側に沿って延びる垂下リブ５４を備え、立壁と垂下リブとの間の隙間により、水シール部５６が上下方向且つ周方向に形成され、この水シール部５６のシール部分は、洗浄水タンクの内部で発生した水蒸気の結露水により形成される。【選択図】図１０
2020105886.tif 000002
【特許請求の範囲】
【請求項１】
便器を洗浄する洗浄水を貯水する洗浄水タンク装置であって、
底面と立壁とを備えた洗浄水タンクと、
上記立壁の上部に取付けられ、上記洗浄水タンクの上部開口部を覆う蓋部とを備え、
上記蓋部は、上記立壁の上部に取付けられた状態で、上記立壁の内側に沿って延びる垂下リブを備え、
上記立壁と上記垂下リブとの間の隙間により、水シール部が上下方向且つ周方向に形成され、この水シール部のシール部分は、上記洗浄水タンクの内部で発生した水蒸気の結露水により形成されることを特徴とする洗浄水タンク装置。
【請求項２】
上記蓋部は、上記垂下リブの位置よりも外側まで突出し、上記洗浄水タンクの上記立壁の上端部と当接する側方リブ部を備えている、請求項１記載の洗浄水タンク装置。
【請求項３】
上記側方リブ部と上記立壁の上記上端部との当接部分の幅は、平面視において、上記水シール部の隙間の幅よりも大きい、請求項２記載の洗浄水タンク装置。
【請求項４】
上記垂下リブの長さは、上記側方リブ部の長さよりも長い、請求項１乃至３の何れか１項に記載の洗浄水タンク装置。
【請求項５】
上記洗浄水タンクの上記立壁の上部内側には、上記水シール部の隙間を拡張する拡張部が形成されている、請求項１乃至４の何れか１項に記載の洗浄水タンク装置。
【請求項６】
上記蓋部の上記垂下リブは、上記垂下リブを上記立壁から内側に向けて凹ませた凹部を備える、請求項１乃至５の何れか１項に記載の洗浄水タンク装置。
【請求項７】
上記洗浄水タンクは、上記凹部より下方側に間隔をあけた位置において、上記凹部と上記立壁との間の空間の真下の領域に広がるよう形成された突出部を備える、請求項６に記載の洗浄水タンク装置。
【請求項８】
上記水シール部は、０．０１ｍｍ以上３．０ｍｍ以下の範囲内の隙間により形成される、請求項１乃至７の何れか１項に記載の洗浄水タンク装置。
【請求項９】
上記水シール部は、上下方向に３ｍｍ以上５０ｍｍ以下の範囲内の長さに形成される、請求項１乃至８の何れか１項に記載の洗浄水タンク装置。
【発明の詳細な説明】
【技術分野】
【０００１】
本発明は、洗浄水タンク装置に係り、特に、便器を洗浄する洗浄水を貯水する洗浄水タンク装置に関する。
【背景技術】
【０００２】
従来、局部洗浄装置と、洗浄水タンクとが、同じケーシング内に収納されたトイレ装置が知られている。このようなトイレ装置においては、洗浄水タンクに貯水された洗浄水が蒸発してケーシング内で結露することで結露水を生じ、例えば、局部洗浄装置がその結露水によりショートしてしまうなど、結露水が電装部品と接触して不具合をきたす恐れがある。よって、洗浄水タンクは、密閉式のタンク構造に形成されている。
【先行技術文献】
【特許文献】
【０００３】
【特許文献１】特開２０１１−２５６５３０号明細書
【発明の概要】
【発明が解決しようとする課題】
【０００４】
しかしながら、特許文献１に示すような洗浄水タンクでは、密閉式のタンク構造を形成するため、タンク本体とタンク蓋体との接合部分にパッキンからなるシール部材を設け、このパッキンによって気密性を保持していた。このようにパッキンによりタンク本体とタンク蓋体とを接合しようとすると、部品交差等を考慮してパッキンを比較的大きく形成する必要が生じ、その分、洗浄水タンクが大型化してしまうという問題があった。また、パッキンをタンク本体の形状に合わせて張り付けるための手間やコストがかかる等、施工性が悪くなるという問題があった。
【０００５】
そこで、本発明は、上述した従来技術の問題点と課題を解決するためになされたものであり、水シール部により水蒸気が洗浄水タンクの外部に漏洩することを抑制でき、従来のパッキン等によるシール部材を省略して洗浄水タンク装置を小型化及びローシルエット化することができる洗浄水タンク装置を提供することを目的としている。
【課題を解決するための手段】
【０００６】
上記の目的を達成するために、本発明は、便器を洗浄する洗浄水を貯水する洗浄水タンク装置であって、底面と立壁とを備えた洗浄水タンクと、上記立壁の上部に取付けられ、上記洗浄水タンクの上部開口部を覆う蓋部とを備え、上記蓋部は、上記立壁の上部に取付けられた状態で、上記立壁の内側に沿って延びる垂下リブを備え、上記立壁と上記垂下リブとの間の隙間により、水シール部が上下方向且つ周方向に形成され、この水シール部のシール部分は、上記洗浄水タンクの内部で発生した水蒸気の結露水により形成されることを特徴としている。
このように構成された本発明においては、立壁と垂下リブとの間の隙間により水シール部が上下方向且つ周方向に形成され、この水シール部のシール部分は洗浄水タンクの内部で発生した水蒸気の結露水により形成される。これにより、洗浄水タンクの内部で水蒸気が発生する場合に、水シール部のシール部分が形成され、水蒸気が洗浄水タンクの外部に漏洩することが抑制される。よって、水シール部により水蒸気が洗浄水タンクの外部に漏洩することを抑制でき、従来のパッキン等によるシール部材を省略して洗浄水タンク装置を小型化及びローシルエット化することができる。また、洗浄水タンクの内部で発生した水蒸気が蓋部の内面に結露して結露水を生じ、蓋部の内面に付着した結露水の少なくとも一部が、蓋部の内面から垂下リブに沿って流下する場合、毛細管現象によって結露水が垂下リブの下端における立壁と垂下リブとの間の隙間に入り込み、この隙間において表面張力によって水滴がその場に保持されシール部分を形成する。よって、洗浄水タンクの内部で水蒸気が発生する場合に、水シール部のシール部分が形成され、水蒸気が洗浄水タンクの外部に漏洩することが抑制できる。
【０００７】
本発明において、好ましくは、上記蓋部は、上記垂下リブの位置よりも外側まで突出し、上記洗浄水タンクの上記立壁の上端部と当接する側方リブ部を備えている。
このように構成された本発明においては、水シール部のシール部分が形成される前に水蒸気が水シール部を上昇した場合に、側方リブ部と洗浄水タンクの立壁の上端部とが当接しているため、水蒸気を側方リブ部より外側に漏洩させることを抑制することができる。また、水蒸気が立壁の上端部と側方リブ部との間を通過しにくく、水蒸気が滞留されている間に冷却され、結露水が生成され、結露水が水シール部において水シール部分を形成できる。
【０００８】
本発明において、好ましくは、上記側方リブ部と上記立壁の上記上端部との当接部分の幅は、平面視において、上記水シール部の隙間の幅よりも大きい。
このように構成された本発明においては、側方リブ部と立壁の上端部との当接部分の幅が水シール部の隙間の幅よりも大きいので、側方リブ部と立壁の上端部との当接部分の長さが比較的長くなり、水蒸気が当接部分を通り抜けることがより抑制される。また、水シール部の隙間の幅は、側方リブ部と立壁の上端部との当接部分の幅よりも小さいので、水シール部の隙間の幅が比較的小さくなり、当接部分を通り抜ける前の位置に留まっている水蒸気が効率よく冷却されると共に、結露水が表面張力によってその場に保持されるため水シール部に水シール部分が形成されやすい。さらに、水シール部の隙間内の毛細管現象により水シール部分が上下方向且つ周方向に形成されやすくできる。よって、水蒸気が洗浄水タンクの外部に漏洩することがより抑制できる。
【０００９】
本発明において、好ましくは、上記垂下リブの長さは、上記側方リブ部の長さよりも長い。
このように構成された本発明においては、側方リブ部の長さが垂下リブの長さよりも短いため、側方リブ部と立壁の上端部との当接部分から結露水を水シール部側に戻りやすくできる。さらに、垂下リブの長さは、側方リブ部の長さよりも長いため、結露水が毛細管現象により側方リブ部の高さまで上昇しにくくすることができ、さらに、水シール部に流入した水蒸気を水シール部でより冷却させ結露水をより生じさせやすくし、水シール部をより形成しやすくすることができる。
【００１０】
本発明において、好ましくは、上記洗浄水タンクの上記立壁の上部内側には、上記水シール部の隙間を拡張する拡張部が形成されている。
このように構成された本発明においては、毛細管現象又は洗浄水タンク内の圧力上昇によって結露水が水シール部内を上昇する場合に、結露水が拡張部より上方に上昇し、結露水が洗浄水タンクの外部に漏洩することが抑制できる。
【００１１】
本発明において、好ましくは、上記蓋部の上記垂下リブは、上記垂下リブを上記立壁から内側に向けて凹ませた凹部を備える。
このように構成された本発明においては、毛細管現象又は洗浄水タンク内の圧力上昇によって結露水が水シール部内を広がる場合に、結露水が凹部から流下することができる。これにより、結露水が上方まで広がり、結露水が洗浄水タンクの外部に漏洩することが抑制できる。
【００１２】
本発明において、好ましくは、上記洗浄水タンクは、上記凹部より下方側に間隔をあけた位置において、上記凹部と上記立壁との間の空間の真下の領域に広がるよう形成された突出部を備える。
このように構成された本発明においては、蓋部の垂下リブが凹部を備える場合に、突出部により、洗浄水タンクの内部で発生した水蒸気が凹部に流入することを抑制し、水蒸気が凹部から洗浄水タンクの外部に漏洩することを抑制できる。
【００１３】
本発明において、好ましくは、上記水シール部は、０．０１ｍｍ以上３．０ｍｍ以下の範囲内の隙間により形成される。
このように構成された本発明においては、水シール部の隙間が所定の大きさに形成されることにより、表面張力により水が保持されやすくなると共に、毛細管現象をより起こしやすくすることができ、シール部分をより形成しやすくできる。
【００１４】
本発明において、好ましくは、上記水シール部は、上下方向に３ｍｍ以上５０ｍｍ以下の範囲内の長さに形成される。
このように構成された本発明においては、水シール部がこのような長さに形成されることにより、結露水が毛細管現象により側方リブ部の高さまでより到達しにくくすることができ、さらに、水シール部に流入した水蒸気を水シール部で冷却させ結露水を生じさせやすくし、水シール部をさらに形成しやすくできる。
【発明の効果】
【００１５】
本発明のトイレ装置によれば、密閉式洗浄水タンク内への吸気を行うことができ、且つ蒸気が密閉式洗浄水タンクからケーシング内部に流出してケーシング内部で結露されることを防ぐことができ、結露した水によりケーシング内部に収納されている局部洗浄装置がショートする故障を防ぐことができる。
【図面の簡単な説明】
【００１６】
【図１】本発明の第１実施形態による洗浄水タンク装置を備えたトイレ装置の上面図である。
【図２】本発明の第１実施形態による洗浄水タンク装置を備えたトイレ装置の側面図である。
【図３】図１のＩＩＩ−ＩＩＩ線に沿って見た断面図である。
【図４】図１のトイレ装置のケーシングプレート、局部洗浄装置及び洗浄水タンク装置を示す上面図である。
【図５】図１のトイレ装置の洗浄水タンク装置を示す上面図である。
【図６】図１のトイレ装置の洗浄水タンク装置を示す正面図である。
【図７】図５のVII-VII線に沿って見た断面図である。
【図８】図５のVIII-VIII線に沿って見た断面図である。
【図９】図５のIX-IX線に沿って見た断面図である。
【図１０】図８の洗浄水タンク装置の領域Ｈにおける上側立壁と蓋部との取付状態を拡大して示す部分拡大断面図である。
【図１１】図９の洗浄水タンク装置の領域Ｇにおける上側立壁と垂下リブの凹部との取付状態を拡大して示す部分拡大断面図である。
【図１２】図５のXII-XII線に沿って見た断面図である。
【図１３】本発明の第２実施形態による洗浄水タンク装置の領域Ｈにおける上側立壁と蓋部との取付状態を拡大して示す部分拡大断面図である。
【発明を実施するための形態】
【００１７】
つぎに、添付図面により、本発明の第１実施形態による洗浄水タンク装置を備えたトイレ装置について説明する。
まず、図１乃至図３により、本発明の第１実施形態による洗浄水タンク装置を備えたトイレ装置について説明する。
図１は本発明の第１実施形態による洗浄水タンク装置を備えたトイレ装置の上面図であり、図２は本発明の第１実施形態による洗浄水タンク装置を備えたトイレ装置の側面図であり、図３は図１のＩＩＩ−ＩＩＩ線に沿って見た断面図である。
【００１８】
図１乃至図３に示すように、符号１は、洗浄水によって洗浄し、汚物を排出するトイレ装置であり、このトイレ装置１は、陶器製の便器本体２（図２参照）と、洗浄ユニット４とを備え、この便器本体２には、便器本体２の頂面に設けられる便蓋３と、便器本体２の上面に配置される便座５（図３参照）と、汚物を受けるボウル部６と、このボウル部６の下部と連通する排水トラップ管路８がそれぞれ形成されている。なお、便器本体２は、陶器のみで形成される以外に、樹脂と陶器、又は樹脂のみで形成するようにしても良い。
便器本体２のボウル部６の上縁部には、内側にオーバーハングしたリム１０が形成され、便器本体２のボウル部６の左側上方には、便器本体２の後方側の内部に形成される導水路１２から供給される洗浄水を吐水する第１吐水口１４が形成され、この第１吐水口１４から吐水された洗浄水は、旋回しながら下降してボウル部６を洗浄する旋回流を主に形成するようになっている。
【００１９】
ボウル部６の下方には、溜水面が鎖線Ｗ０で示された溜水部１６が形成されている。この溜水部１６の下方には、排水トラップ管路８の入口８ａが開口し、この入口８ａから後方の排水トラップ管路８は排水ソケット（図示せず）を介して床下の排出管（図示せず）に接続されている。
また、ボウル部６の右側上方且つ後方には、便器本体２の後方側の内部に形成される導水路１２から供給される洗浄水を吐水する第２吐水口（図示せず）が形成され、この第２吐水口（図示せず）から吐水される洗浄水が溜水部１６の溜水を主に上下方向に旋回させる旋回流を生じさせるようになっている。
【００２０】
つぎに、図２乃至図９により、洗浄ユニットの内部構造について説明する。
図４は図１のトイレ装置のケーシングプレート、局部洗浄装置及び洗浄水タンク装置を示す上面図であり、図５は図１のトイレ装置の洗浄水タンク装置を示す上面図であり、図６は図１のトイレ装置の洗浄水タンク装置を示す正面図であり、図７は図５のVII-VII線に沿って見た断面図であり、図８は図５のVIII-VIII線に沿って見た断面図であり、図９は図５のIX-IX線に沿って見た断面図である。
なお、図７においては、洗浄水タンク内の満水水位をＷＬ０で示している。
【００２１】
洗浄ユニット４は、局部洗浄装置及び洗浄水タンク装置一体収納型の洗浄ユニットを形成している。洗浄ユニット４は、便器本体２の後方側の上面に設けられている。洗浄ユニット４は、便器本体２の後方側の上面上に配置され且つ洗浄ユニット４の基部を形成しているプレートであるケーシングプレート１８と、ケーシングプレート１８の上面に設けられ、人体の局部を洗浄する洗浄水を噴出するノズル部２０を作動させる局部洗浄装置２２と、ケーシングプレート１８の上面に設けられ、便器本体２を洗浄する洗浄水を貯水し、且つ貯水した水の蒸気が外部に流出することを防ぐように形成されている密閉式の洗浄水タンク装置２４と、ケーシングプレート１８との間で、局部洗浄装置２２及び洗浄水タンク装置２４を内部に収納するケーシングであるケーシングカバー２６と、洗浄水タンク装置２４の内部空間から洗浄水タンク装置２４の外部のケーシング内部空間まで延びる通気管２８（図６及び図９参照）と、を備えている。
このような洗浄ユニット４は、手洗い器の付いていないトイレ装置の他、手洗い器付きのトイレ装置、便器本体の形状が異なるトイレ装置にも共通して使用することができる。
【００２２】
ケーシングプレート１８は、四角形状に形成されている。ケーシングプレート１８は、便器本体２の左右方向において、ケーシングプレート１８の左右方向の辺の長さが便器本体２の左右方向の幅にほぼ合うように形成され、便器本体２の前後方向において、ケーシングプレート１８の前後方向の辺が便器本体２のほぼ後端からボウル部６の後端より前方側まで延びるように形成されている。ケーシングプレート１８は、洗浄水タンク装置２４と、局部洗浄装置２２とを一緒にケーシングプレート１８上に互いに近傍に並んで配置して、一つのケーシングカバー２６の内部空間に一体のユニットとして一緒に収納する。
【００２３】
局部洗浄装置２２は、人体の局部に洗浄水を噴出するノズル部２０と、電気装備品であり且つノズル部２０の作動を制御するコントローラ２９と、電気装備品であり且つ適温に温められた温水をノズル部２０に供給する温水洗浄用タンク３０を温めるヒーター３２とを有する。
これらのコントローラ２９及びヒーター３２は、ケーシングプレート１８上を流れる水による短絡事故防止のため、ケーシングプレート１８の上面から隙間を空けて配置されている。後述する本実施形態の洗浄ユニット４の構成により、コントローラ２９及びヒーター３２等の電装部品上に水蒸気が結露すること或いはケーシングカバー２６等の他の部材上で結露した水滴が付着することにより短絡事故が発生することが抑制されている。
【００２４】
洗浄水タンク装置２４は、自身の高さが比較的低く形成されているいわゆるローシルエットタンク装置であり、ボウル部６へ供給する水を貯水している。
図５乃至図９に示すように、洗浄水タンク装置２４は、トイレ装置１を洗浄する洗浄水を貯水する洗浄水タンク３４と、蓋部３６とを備えている。
【００２５】
図７に示すように、洗浄水タンク３４は、底面３８と、底面３８の外縁から上方に延びる立壁である下側立壁４０とを備え、この下側立壁４０の内側に洗浄水を貯水する。
洗浄水タンク３４の底面３８には、便器本体２の導水路１２と連通する排水口４２が形成され、洗浄水タンク３４内の洗浄水が排水口４２から便器本体２の導水路１２へと供給される。
【００２６】
図８及び図９に示すように、洗浄水タンク装置２４は、さらに、洗浄水タンク３４内に洗浄水を供給する給水装置４３と、便器本体２へ洗浄水を供給する排水弁装置４５と、洗浄水タンク３４内の洗浄水の水位Ｗが満水水位ＷＬ０となった状態を検知するフロートスイッチ５０とを備えている。
【００２７】
洗浄水タンク３４は、さらに、下側立壁４０の上端に取付けられる取付部材４４を備えている。取付部材４４は、下側立壁４０の内側の領域のうち一部分を切り欠くような開口部（開口領域）４６を形成する。さらに、取付部材４４は、開口部４６以外のカバー部分において、電動駆動部４８（図３及び図４参照）やフロートスイッチ５０（図３及び図４参照）等の電装部品を洗浄水タンク３４の外側の外部空間（ケーシングカバーの内部空間）に配置するための取付構造を形成している。取付部材４４は、洗浄水タンク３４の下側立壁４０の上縁から内側に延びる内蓋部分の一部を構成している。取付部材４４は、開口部４６の外縁において上方に延びる立壁である上側立壁５２を備えている。上側立壁５２は、取付部材４４上の任意の位置から上方に延びている。上側立壁５２の上部に開口部４６が形成されている。開口部４６は、主に上側立壁５２の内側の領域を上方に開口するように形成されている。よって、上側立壁５２は、開口部４６の内側の洗浄水タンク内部空間と開口部４６の外側のケーシング内部空間とを区別する。本実施形態においては、立壁は、上側立壁５２と下側立壁４０とにより構成されているが、下側立壁４０のみにより構成されていてもよい。
【００２８】
蓋部３６は、洗浄水タンク３４の上側立壁５２の上部に取付けられ、洗浄水タンク３４の開口部４６を覆うように形成されている。蓋部３６は、上側立壁５２の上部に取付けられた状態で洗浄水タンク３４の天井部分の覆いを完成させる。蓋部３６が洗浄水タンク３４に取付けられた状態で、洗浄水タンク３４内の洗浄水タンク内部空間は閉空間となり、ケーシング内部空間と区別される。蓋部３６が取付部材４４と合わせて取付けられることにより、洗浄水タンク３４内に貯水した水の水蒸気が外部に流出することを抑制するように洗浄水タンク３４の上方を密閉することができる。蓋部３６は、蓋部３６が洗浄水タンク３４に取付けられた状態で、洗浄水タンク３４の上側立壁５２の内側に沿って延びる垂下リブ５４を備えている。
【００２９】
次に、図１０及び図１２を参照して、本発明の第１実施形態による水シール部の詳細について説明する。
図１０は、図８の洗浄水タンク装置の領域Ｈにおける上側立壁と蓋部との取付状態を拡大して示す部分拡大断面図である。図１１は、図９の洗浄水タンク装置の領域Ｇにおける上側立壁と垂下リブの凹部との取付状態を拡大して示す部分拡大断面図であり、図１２は図５のXII-XII線に沿って見た断面図である。
【００３０】
上側立壁５２と垂下リブ５４との間の隙間により、水シール部５６が上下方向且つ周方向に形成され、この水シール部５６のシール部分は洗浄水タンク３４の内部で発生した水蒸気の結露水により形成される。水シール部５６は、タンク外の外気に接する部材である上側立壁５２と、タンク内の内気に接する部材である垂下リブ５４との間に形成される。水シール部５６は外気に接する上側立壁５２の内側に形成されるので、内部で結露水を生じやすくなっている。垂下リブ５４は、上下方向且つ周方向に上側立壁５２とほぼ平行に延びている。垂下リブ５４は、上側立壁５２の内周全体のうち、好ましくはフロートスイッチ等の電装部品の取り付け部分の内側部分、より好ましくは２分の１以上、より好ましくは３分の２以上、より好ましくは全部に形成されている。よって、水シール部５６は、上側立壁５２の内周全体のうち、好ましくはフロートスイッチ等の電装部品の取り付け部分の内側部分、より好ましくは２分の１以上、より好ましくは３分の２以上、より好ましくは全部に形成されている。
【００３１】
蓋部３６は、垂下リブ５４の形成される位置よりも外側まで突出し、洗浄水タンク３４の上側立壁５２の上端部５２ａと当接する側方リブ部５８を備えている。側方リブ部５８は上端部５２ａと当接することにより簡易なシール構造を形成している。加えて、水シール部５６のシール部分が形成されることにより、より高性能なシール構造が形成される。上側立壁５２と垂下リブ５４との間及び上側立壁５２と側方リブ部５８との間にはパッキンによるシール部が形成されていない。
側方リブ部５８と上側立壁５２の上端部５２ａとの当接部分の幅Ｗ２は、平面視において、水シール部５６の隙間の幅Ｗ１よりも大きい。水シール部５６の隙間の幅Ｗ１は、表面張力によって水滴がその場に保持されるような隙間、又は毛細管現象が生じるような隙間の少なくともいずれかに形成されている。例えば、水シール部５６の幅Ｗ１は、０．０１ｍｍ以上３．０ｍｍ以下の範囲内の隙間の幅により形成される。このように形成された水シール部５６によれば、樹脂材料である上側立壁５２及び垂下リブ５４に付着した結露水に対し毛細管現象をより起こしやすくすることができる。
【００３２】
垂下リブ５４の上下方向の長さＬ１は、側方リブ部５８の横方向の長さＬ２よりも長い。例えば、水シール部５６の上下方向の長さＬ１は、上下方向に３ｍｍ以上５０ｍｍ以下の範囲内の長さに形成される。これに対し、側方リブ部５８の横方向の長さＬ２は、２ｍｍ以上２０ｍｍ以下の範囲内の長さに形成される。
【００３３】
洗浄水タンク３４の上側立壁５２の上部内側には、水シール部５６の隙間を拡張する拡張部６０が形成されている。拡張部６０は、好ましくは、上側立壁５２の上端に形成されている。
【００３４】
また、図１１及び図１２に示すように、蓋部３６の垂下リブ５４は、垂下リブ５４を内側に向けて凹ませた凹部６２を備えている。凹部６２は、垂下リブ５４の上端から下端まで縦方向に延びて形成されている。凹部６２と上側立壁５２との間において、洗浄水が凹部６２から洗浄水タンク３４内に流下することができる。
洗浄水タンク３４は、凹部６２の下端より下方側に間隔をあけた位置において、凹部６２と上側立壁５２との間の隙間空間の真下の領域に広がるよう形成された突出部６４を備える。突出部６４は、上側立壁５２から内側に向けて板状に突出する。よって、凹部６２の下方（突出部６４の下方）で発生した水蒸気が上昇する際に、水蒸気が突出部６４に当たり、凹部６２に流入することが抑制される。よって、凹部６２が側方リブ部５８近傍まで形成されている場合であっても、水蒸気が側方リブ部５８と上側立壁５２の上端部５２ａとの当接部分から洗浄水タンク３４の外部に流出することが抑制できる。
【００３５】
つぎに、図７、図１０及び図１１を参照して、本発明の第１実施形態による洗浄水タンク装置の水シール部により水蒸気の結露水によるシール部分の形成動作（作用）を説明する。
図７に示すように、排水弁装置４５の排水開始前（洗浄を開始する前）の待機状態では、排水弁装置４５の排水弁４５ａが排水口４２を閉止しており、洗浄水タンク３４内の初期水位が満水水位ＷＬ０となっている。給水装置４３の給水バルブ４３ａは閉止された状態となっている。
【００３６】
例えば冬場等に、洗浄水タンク３４外の外気の温度が、洗浄水タンク３４内の洗浄水の温度よりも冷たくなるような状態を想定する。矢印Ｆ１に示すように、洗浄水タンク３４内に貯水されている洗浄水から水蒸気が発生する。水蒸気は空気よりも軽いため、上昇する。図１０において矢印Ｆ２に示すように、発生した水蒸気のうち一部が水シール部５６に流入する。矢印Ｆ３に示すように、水シール部５６に流入した水蒸気は、水シール部５６内をさらに上昇する。
【００３７】
矢印Ｆ３に示すように、水蒸気が水シール部５６内をさらに上昇するとき、側方リブ部５８と上側立壁５２の上端部５２ａとが当接しているため、水蒸気を側方リブ部５８より外側に逃がすことを抑制することができる。また、矢印Ｆ４に示すように、水蒸気が上端部５２ａと側方リブ部５８との間を通過しにくく滞留されている間に水蒸気が冷却されることにより、結露水が生成され、結露水が水シール部５６において水シール部分を形成することができる。
【００３８】
矢印Ｆ３に示すように、水蒸気が水シール部５６内をさらに上昇するとき、上側立壁５２は、洗浄水タンク外の外気に接して冷却され、比較的低温となっている。さらに、水シール部５６は所定の大きさの比較的小さい隙間に形成されているので、水蒸気から熱を奪いやすくなっている。これにより、水蒸気は、熱を奪われて結露水を生じさせる。
水シール部５６は、上下方向に所定の長さに形成されているので、結露水が下端から毛細管現象により側方リブ部５８の高さまでより到達しにくくすることができ、さらに、水シール部５６に流入した水蒸気を水シール部５６で冷却させやすくし、水シール部５６をさらに形成しやすくすることができる。
【００３９】
また、図１０に示すように、上側立壁５２の上部内側には、水シール部５６の隙間を拡張する拡張部６０が形成されている。これにより、拡張部６０が結露水で満たされにくくされ、毛細管現象が拡張部６０を超えて生じにくく、結露水が拡張部６０より上方に上昇しにくくなっている。さらに、洗浄水タンク３４内の圧力上昇によって結露水が水シール部５６内を上昇する場合に、結露水が拡張部６０より上方に上昇して洗浄水タンク３４の外部に漏洩することを抑制できる。
【００４０】
さらに、図１１に示すように、蓋部３６の垂下リブ５４は、垂下リブ５４を上側立壁５２より内側に向けて凹ませた凹部６２を備える。凹部６２は、上側立壁５２との間で毛細管現象が生じにくいような比較的大きな隙間を形成している。毛細管現象又は洗浄水タンク３４内の圧力上昇によって結露水が水シール部５６内を広がる場合に、矢印Ｆ５に示すように、結露水が凹部６２から洗浄水タンク３４の内部まで流れ落ちることができる。これにより、結露水が上方まで広がり、結露水が洗浄水タンク３４の外部に漏洩することを抑制できる。
【００４１】
図１０において、水シール部５６内において結露水が生じると、この結露水により水シール部５６内にシール部分が形成される。点状領域Ａにより結露水により水シール部５６内にシール部分が形成されている部分を示している。水シール部５６内に結露水が一部に生じるとき、この結露水が毛細管現象により上下方向及び周方向（左右方向）に伝わり且つ広がる。水シール部５６内の比較的狭い隙間に結露水が上下方向且つ周方向に広がると、後続の水蒸気が、この結露水を通り抜けて洗浄水タンク３４の外部に出られなくなる。すなわち、水シール部５６による水シール部分により、洗浄水タンク３４の内部と外部との間のシールを形成する効果が奏される。上述のような毛細管現象により結露水によるシール部分が上下方向且つ周方向の広範囲、好ましくはほぼ全周に形成される。よって、洗浄水タンク３４の内部で水蒸気が発生する場合に、水シール部５６により水蒸気が洗浄水タンク３４の外部に漏洩することを抑制できる。
【００４２】
また、図１０に示すように、洗浄水タンク３４の内部で発生した水蒸気が蓋部３６の内面に結露して結露水Ｂを生じる場合がある。このような場合に、蓋部３６の内面に付着した結露水Ｂの少なくとも一部が、蓋部３６の内面から垂下リブ５４に沿って流下し、垂下リブ５４の下端における上側立壁５２と垂下リブ５４との間から比較的細い隙間の水シール部５６による毛細管現象により吸い上げられ、シール部分を形成する。毛細管現象により結露水によるシール部分が、上述同様に上下方向且つ周方向の広範囲、好ましくはほぼ全周に形成される。よって、洗浄水タンク３４の内部で水蒸気が発生する場合に、水シール部５６により水蒸気が洗浄水タンク３４の外部に漏洩することを抑制することができる。
【００４３】
上述した本発明の第１実施形態による洗浄水タンク装置２４によれば、上側立壁５２と垂下リブ５４との間の隙間により水シール部５６が上下方向且つ周方向に形成され、この水シール部５６のシール部分は洗浄水タンク３４の内部で発生した水蒸気の結露水により形成される。これにより、洗浄水タンク３４の内部で水蒸気が発生する場合に、水シール部５６のシール部分が形成され、水蒸気が洗浄水タンク３４の外部に漏洩することが抑制される。よって、水シール部５６により水蒸気が洗浄水タンク３４の外部に漏洩することを抑制でき、従来のパッキン等によるシール部材を省略して洗浄水タンク装置２４を小型化及びローシルエット化することができる。
また、洗浄水タンク３４の内部で発生した水蒸気が蓋部３６の内面に結露して結露水を生じ、蓋部３６の内面に付着した結露水の少なくとも一部が、蓋部３６の内面から垂下リブ５４に沿って流下する場合、毛細管現象によって結露水が垂下リブ５４の下端における上側立壁５２と垂下リブ５４との間の隙間に入り込み、この隙間において表面張力によって水滴がその場に保持され、シール部分を形成する。よって、洗浄水タンク３４の内部で水蒸気が発生する場合に、水シール部５６のシール部分が形成され、水蒸気が洗浄水タンク３４の外部に漏洩することが抑制できる。
【００４４】
また、本実施形態による洗浄水タンク装置２４によれば、水シール部５６のシール部分が形成される前に水蒸気が水シール部５６を上昇した場合に、側方リブ部５８と洗浄水タンク３４の上側立壁５２の上端部５２ａとが当接しているため、水蒸気を側方リブ部５８より外側に漏洩させることを抑制することができる。また、水蒸気が上側立壁５２の上端部５２ａと側方リブ部５８との間を通過しにくく、水蒸気が滞留されている間に冷却され、結露水が生成され、結露水が水シール部５６において水シール部５６分を形成できる。
【００４５】
さらに、本実施形態による洗浄水タンク装置２４によれば、側方リブ部５８と上側立壁５２の上端部５２ａとの当接部分の幅Ｗ２が水シール部５６の隙間の幅Ｗ１よりも大きいので、側方リブ部５８と上側立壁５２の上端部５２ａとの当接部分の長さが比較的長くなり、水蒸気が当接部分を通り抜けることがより抑制される。また、水シール部５６の隙間の幅Ｗ１は、側方リブ部５８と上側立壁５２の上端部５２ａとの当接部分の幅Ｗ２よりも小さいので、水シール部５６の隙間の幅が比較的小さくなり、当接部分を通り抜ける前の位置に留まっている水蒸気が効率よく冷却されると共に、結露水が表面張力によってその場に保持されるため水シール部に水シール部分が形成されやすい。さらに、水シール部５６の隙間内の毛細管現象により水シール部５６分が上下方向且つ周方向に形成されやすくできる。よって、水蒸気が洗浄水タンク３４の外部に漏洩することがより抑制できる。
【００４６】
また、本実施形態による洗浄水タンク装置２４によれば、側方リブ部５８の長さＬ２が垂下リブ５４の長さＬ１よりも短いため、側方リブ部５８と上側立壁５２の上端部５２ａとの当接部分から結露水を水シール部５６側に戻りやすくできる。さらに、垂下リブ５４の長さＬ１は、側方リブ部５８の長さＬ２よりも長いため、結露水が毛細管現象により側方リブ部５８の高さまで上昇しにくくすることができ、さらに、水シール部５６に流入した水蒸気を水シール部５６でより冷却させ結露水をより生じさせやすくし、水シール部５６をより形成しやすくすることができる。
【００４７】
また、本実施形態による洗浄水タンク装置２４によれば、毛細管現象又は洗浄水タンク３４内の圧力上昇によって結露水が水シール部５６内を上昇する場合に、結露水が拡張部６０より上方に上昇し、結露水が洗浄水タンク３４の外部に漏洩することが抑制できる。
【００４８】
また、本実施形態による洗浄水タンク装置２４によれば、毛細管現象又は洗浄水タンク３４内の圧力上昇によって結露水が水シール部５６内を広がる場合に、結露水が凹部６２から流下することができる。これにより、結露水が上方まで広がり、結露水が洗浄水タンク３４の外部に漏洩することが抑制できる。
【００４９】
また、本実施形態による洗浄水タンク装置２４によれば、蓋部３６の垂下リブ５４が凹部６２を備える場合に、突出部６４により、洗浄水タンク３４の内部で発生した水蒸気が凹部６２に流入することを抑制し、水蒸気が凹部６２から洗浄水タンク３４の外部に漏洩することを抑制できる。
【００５０】
また、本実施形態による洗浄水タンク装置２４によれば、水シール部５６の隙間が所定の大きさに形成されることにより、表面張力により水が保持されやすくなると共に、毛細管現象をより起こしやすくすることができ、シール部分をより形成しやすくできる。
【００５１】
また、本実施形態による洗浄水タンク装置２４によれば、水シール部５６がこのような長さに形成されることにより、結露水が毛細管現象により側方リブ部５８の高さまでより到達しにくくすることができ、さらに、水シール部５６に流入した水蒸気を水シール部５６で冷却させ結露水を生じさせやすくし、水シール部５６をさらに形成しやすくできる。
【００５２】
次に、図１３により、本発明の第２実施形態による洗浄水タンク装置を備えたトイレ装置を説明する。第２実施形態は、本発明による洗浄水タンク装置の立壁に内側に延びる壁部を形成した例である。図１３は本発明の第２実施形態による洗浄水タンク装置の領域Ｈにおける上側立壁と蓋部との取付状態を拡大して示す部分拡大断面図である。領域Ｈは、第１実施形態による洗浄水タンク装置の領域Ｈと同様の位置に対応する（図８参照）。
第２実施形態による洗浄水タンク装置１２４は、上述した第１実施形態による洗浄水タンク装置２４と構造がほぼ同じであるため、本発明の第２実施形態の第１実施形態とは異なる点のみを説明し、同様な部分については図面に同じ参照符号を付して説明を省略する。
【００５３】
トイレ装置１の洗浄ユニット４は、ケーシングプレート１８の上面に設けられ、便器本体２を洗浄する洗浄水を貯水し、且つ貯水した水の蒸気が外部に流出することを防ぐように形成されている密閉式の洗浄水タンク装置１２４を備える。
【００５４】
上側立壁１５２と垂下リブ５４との間の隙間により、水シール部１５６が上下方向且つ周方向に形成され、この水シール部１５６のシール部分は洗浄水タンク３４の内部で発生した水蒸気の結露水により形成される。水シール部１５６は、タンク外の外気に接する部材である上側立壁１５２と、タンク内の内気に接する部材である垂下リブ５４との間に形成される。水シール部１５６は外気に接する上側立壁５２の内側に形成されるので、内部で結露水を生じやすくなっている。
上側立壁１５２は、垂下リブ５４の下端から所定の隙間を開けた下方側において内向きに延びる突出部１５３を備えている。突出部１５３は上側立壁１５２から横向きに延びる棚状の壁面を形成している。垂下リブ５４の下端と突出部１５３の上面との隙間の幅は後述する水シール部１５６の隙間の幅Ｗ１（第１実施形態における水シール部５６の隙間の幅Ｗ１と同様の幅）に形成されている。このように形成することにより、垂下リブ５４の下端と突出部１５３との間の隙間に水シール部１５６を形成することができる。垂下リブ５４の下端と突出部１５３との間の水シール部１５６は、横方向、上下方向且つ周方向に形成される。
【００５５】
突出部１５３は垂下リブ５４のある部分のほぼ全てに対応して内周の全体に形成されている。突出部１５３は上側立壁５２の内周のうちの一部に形成されていてもよい。水シール部１５６は、上側立壁５２の内周全体のうち、好ましくはフロートスイッチ等の電装部品の取り付け部分の内側部分、より好ましくは２分の１以上、より好ましくは３分の２以上、より好ましくは全部に形成されている。
【００５６】
このように、本発明の第２実施形態においては、垂下リブ５４と上側立壁１５２の突出部１５３との間の横向き部分に、水シール部１５６を形成することができる。洗浄水タンク３４内で発生した水蒸気が垂下リブ５４と上側立壁１５２の突出部１５３との間の水シール部１５６及び上側立壁１５２と垂下リブ５４の間の水シール部１５６に流入し、結露水を生じることにより結露水が水シール部１５６において水シール部分を形成する。よって、洗浄水タンク１３４の内部で水蒸気が発生する場合に、水シール部１５６のシール部分が形成され、水蒸気が洗浄水タンク１３４の外部に漏洩することが抑制される。横向き部分以外の部分の水シール部１５６の形成による効果は、第１実施形態における水シール部５６の形成による効果と同様であるので説明を省略する。
【００５７】
上述した本発明の第２実施形態による洗浄水タンク装置１２４によれば、上側立壁１５２と垂下リブ５４との間の隙間により水シール部１５６が上下方向且つ周方向に形成され、この水シール部１５６のシール部分は洗浄水タンク１３４の内部で発生した水蒸気の結露水により形成される。これにより、洗浄水タンク１３４の内部で水蒸気が発生する場合に、水シール部１５６のシール部分が形成され、水蒸気が洗浄水タンク１３４の外部に漏洩することが抑制される。よって、水シール部１５６により水蒸気が洗浄水タンク３４の外部に漏洩することを抑制でき、従来のパッキン等によるシール部材を省略して洗浄水タンク装置１２４を小型化及びローシルエット化することができる。
また、洗浄水タンク１３４の内部で発生した水蒸気が蓋部３６の内面に結露して結露水を生じ、蓋部３６の内面に付着した結露水の少なくとも一部が、蓋部３６の内面から垂下リブ５４に沿って流下する場合、毛細管現象によって結露水が垂下リブ５４の下端における上側立壁１５２と垂下リブ５４との間の隙間に入り込み、この隙間において表面張力によって水滴がその場に保持され、シール部分を形成する。よって、洗浄水タンク３４の内部で水蒸気が発生する場合に、水シール部１５６のシール部分が形成され、水蒸気が洗浄水タンク１３４の外部に漏洩することが抑制できる。
【符号の説明】
【００５８】
２４    洗浄水タンク装置
２６    ケーシングカバー
３４    洗浄水タンク
３６    蓋部
３８    底面
４３    給水装置
４４    取付部材
４６    開口部
５２    上側立壁
５２ａ  上端部
５４    垂下リブ
５６    水シール部
５８    側方リブ部
６０    拡張部
６２    凹部
６４    突出部
１２４  洗浄水タンク装置
１３４  洗浄水タンク
１５２  上側立壁
１５３  突出部
１５６  水シール部
Ｂ      結露水
Ｗ１    幅
Ｗ２    幅
【図１】
2020105886.tif 000003
【図２】
2020105886.tif 000004
【図３】
2020105886.tif 000005
【図４】
2020105886.tif 000006
【図５】
2020105886.tif 000007
【図６】
2020105886.tif 000008
【図７】
2020105886.tif 000009
【図８】
2020105886.tif 000010
【図９】
2020105886.tif 000011
【図１０】
2020105886.tif 000012
【図１１】
2020105886.tif 000013
【図１２】
2020105886.tif 000014
【図１３】
2020105886.tif 000015